【事件の表示】
　平成１１年特許願第２５２６２４号「空気調和機」拒絶査定不服審判事件〔平成１３年　３月２３日出願公開、特開２００１−　７４２９５〕について、次のとおり審決する。
【結　論】
　本件審判の請求は、成り立たない。
【理　由】
１．手続の経緯
　本件出願は平成１１年９月７日に出願したものであり、本件出願に対しては、原審において、平成１５年１０月１５日付けで拒絶理由通知がなされ、その指定期間内である平成１５年１２月１７日に意見書及び手続補正書が提出されたが、平成１６年２月２日に上記拒絶理由通知書に記載した理由によって拒絶査定がなされ、この査定に対する審判請求が平成１６年３月１１日になされるとともに、同日付けで、手続補正書が提出され、平成１６年４月７日付けで、審判請求書を補正対象とする手続補正と、明細書を補正対象とする手続補正の２つの手続補正がなされ、その後、特許法第１６２条による審査がなされ、平成１６年１０月１８日付けで特許庁長官への報告がなされ、平成１７年２月３日付けで審尋がなされ、平成１７年４月８日付けで回答書が提出されたが、上記平成１６年４月７日付けの２つの手続補正のうち、明細書を補正対象とする手続補正に対して、平成１７年７月２７日付けで当審より補正の却下の決定がなされている。
　その後、平成１７年８月１８日付けで当審より拒絶理由通知がなされ、その指定期間内である平成１７年１０月２０日に意見書及び手続補正書が提出された。
　
　
　
２．本件発明
　そこで、本件の請求項１及び２に係る発明は、上記平成１７年１０月２０日付け手続補正書に添付された特許請求の範囲の請求項１及び２に記載された事項により特定される以下のとおりのものである。
「　【請求項１】　少なくとも圧縮機、室外熱交換器、膨張弁及び室外ファンを内蔵する室外ユニットと、少なくとも室内熱交換器及び室内ファンを有する室内ユニットに、室内空気の水分を吸着・離脱する吸湿ロータと、吸湿ロータを再生する再生ヒータと、再生ヒータに空気を送る再生ファンとからなる空気調和機において、
　前記室内ユニットの吸い込み口に設けた湿度センサーにおいて検出された湿度によって、外出時に除湿運転・換気運転を自動的に選択する運転モードと、前記運転モードを選択するスイッチとを設け、前記スイッチが第１と第２のスイッチからなり、前記湿度センサーによって検出された湿度が予め設定した湿度以上のときには、前記第１のスイッチを選択することにより前記吸湿ロータによる除湿運転を行い、前記第２のスイッチを選択することにより前記圧縮機による除湿運転を行うことを特徴とする空気調和機。
　【請求項２】　前記室内ユニットの吸い込み口に設けた湿度センサーによって検出された湿度が、予め設定した湿度以下のときには、換気運転モードになることを特徴とする請求項１に記載の空気調和機。」
　
　
　
３．引用刊行物
　当審が平成１７年８月１８日付け拒絶理由通知で引用した刊行物
　
　刊行物１：特開平１１−１０１４７３号公報
　刊行物２：特開平８−２７０９８０号公報
　刊行物３：特開平８−６１７５２号公報
　刊行物４：特開平５−２９６５２５号公報
　
　
　
４．引用刊行物に記載された発明
（１）刊行物１に記載された発明
　刊行物１には次のａ．〜ｊ．の記載がなされている。
ａ．「【０００１】
【発明の属する技術分野】本発明は、除湿および加湿を行う除・加湿装置（調湿装置）に関するものである。」
　
ｂ．「【０００２】
【従来の技術】従来、調湿装置として、本出願人が提案してなる特願平８−１９９４７３号に記載の加湿装置がある。
【０００３】図５は、上記加湿装置を示す要部斜視図である。図中、Ａは第１の空気流であり、Ｂは第２の空気流である。
【０００４】上記加湿装置１１０は、吸着材１０１、駆動ベルト１０２、駆動モータ１０３、送風装置１０４，１０５、ヒータ１０６とを備えてなる構成からなり、例えば室内に配設される。
【０００５】前記吸着材１０１は、前記送風装置１０４の駆動により室内から導かれた空気流Ａが通ったとき該空気流Ａ中の水分を吸着するとともに、前記送風装置１０５の駆動により室内から導かれ、前記
ヒータ１０６にて加熱された空気流Ｂが通ったとき当該吸着材１０１に吸着した水分を該空気流Ｂ中に脱離させ
【０００６】そして、該加湿装置１１０は、前記空気流Ａを室外に排出するとともに前記空気流Ｂを室内に導くことで、給水することなく加湿を行うことができるようにしている。つまり、前記空気流Ａに含まれる水分を前記空気流Ｂに含ませて室内に戻すとともに、乾燥した前記空気流Ａを室外に排出し、これに代わって室外より部屋等の隙間を介して水分を含む室外空気が室内に自然吸入されることで、室内の加湿を給水することなく行えるようにしている。
【０００７】また、これに伴って、
室内の換気をも行うことができる
前記ヒータ１０６を停止させることにより、室内を加湿することなく換気を行うことができる
　
ｃ．「【０００８】
【発明が解決しようとする課題】しかしながら、上述した従来の加湿装置（調湿装置）１１０においては、室内の加湿と
換気とを
【０００９】また、除湿を行うものとしては、
冷凍サイクルを稼動して除湿を行う空気調和機があるが、該空気調和機では室内温度が下がるという問題があった
【００１０】本発明は、上記課題に鑑み、
室内温度が低下することなく除湿を行うことが可能な除・加湿装置の提供を目的とする
　
ｄ．「【００１１】
【課題を解決するための手段】上記目的を達成するために、本発明の請求項１記載の除・加湿装置は、吸湿性，通気性をもつ吸着材と、該吸着材を通過する第１および第２の空気流を生成する送風手段と、前記吸着材に送風される第２の空気流を加熱する加熱手段と、前記吸着材を通過した第１の空気流を除湿時に室内へ導き、加湿時に室外へ導く切換手段と、前記吸着材を通過した第２の空気流を除湿時に冷却する熱交換器とを備え、前記第２の空気流を除湿時および加湿時に室内に導いてなることを特徴とするものである。
【００１２】また、本発明の請求項２記載の除・加湿装置は、請求項１記載の除・加湿装置において、前記熱交換器を除湿時に冷却する冷却手段を設けたことを特徴とするものである。
【００１３】さらに、本発明の請求項３記載の除・加湿装置は、請求項１記載の除・加湿装置において、前記送風手段の出力を制御する制御手段を設けたことを特徴とするものである。
【００１４】加えて、本発明の請求項４記載の除・加湿装置は、請求項１記載の除・加湿装置において、
室内の湿度を検知する湿度検知手段を設けた
　
ｅ．「【００１５】上記構成によれば、本発明の請求項１記載の除・加湿装置は、第１の空気流の水分が吸着材に吸着され乾燥空気となり、第２の空気流が加熱手段で加熱され前記吸着材に吸着した水分を脱着して加湿空気となる。そして、除湿時には乾燥した第１の空気流を切換手段により室内に案内して排気し、加湿した第２の空気流を熱交換器に送風することで、前記第２の空気流の温度を露点温度以下に低下させて該第２の空気流に含まれる水分を結露させる。そして、前記熱交換器にて除湿された第２の空気流は室内へ導かれ、結露した水分はドレンパイプ等を介して排水する。また、加湿時には乾燥した第１の空気流を切換手段により室外に案内して排気し、加湿した第２の空気流を室内に送風することで、排気された第１の空気流（乾燥空気）の風量と同量の室外空気が部屋の隙間等から吸気され、該吸気された室外空気と排気された第１の空気流との水分の差分だけ室内の湿度が上昇する。
【００１６】また、本発明の請求項２記載の除・加湿装置は、請求項１記載の除・加湿装置において、熱交換器を除湿時に冷却する冷却手段を設けた、すなわち前記熱交換器を蒸発器とする冷凍サイクルを設け、除湿時に該冷凍サイクルを稼働させて前記熱交換器を冷却する構成なので、除湿時の前記第２の空気流の冷却温度を低下させることができる。
【００１７】さらに、本発明の請求項３記載の除・加湿装置は、請求項１記載の除・加湿装置において、送風手段の出力を制御する制御手段を設けたので、除湿と加湿とで異なる前記第１および第２の空気流の最適な送風量を、前記制御手段によって前記送風手段の出力を制御して最適な送風量での運転を行うことができる。
【００１８】加えて、本発明の請求項４記載の除・加湿装置は、請求項１記載の除・加湿装置において、
室内の湿度を検知する湿度検知手段を設けたので、該湿度検知手段によって室内の湿度を検知し、設定湿度より高湿度のときには除湿を行い
　
ｆ．「【００１９】
【発明の実施の形態】以下、本発明の実施の形態にかかる除・加湿装置（調湿装置）について、図面とともに説明する。
【００２０】図１および図２はそれぞれ本発明の第１実施の形態にかかる除・加湿装置の構成図である。
【００２１】本実施の形態にかかる除・加湿装置の構成は次の通りである。
吸湿性，通気性をもつ円筒状の吸着材１は
ハニカム形状，格子状，スポンジ状，網状など通気可能なものであればよい
【００２２】送風手段２ａ，２ｂは、それぞれ第１，第２の空気流４，５を発生（生成）するように前記吸着材１の空気流に対する下流側（風下側）に設置されている。
【００２３】前記送風手段２ａが作動すると室内空気が取り入れられ、第１の空気流４となって前記吸着材１を通過して切換手段７に送風され、該切換手段７から第１の通風路９または第２の通風路１０を介して室外または室内に排気される。
【００２４】
前記送風手段２ｂが作動すると室内空気が取り入れられ
加熱手段（ヒータ）６で加熱された後、前記吸着材１を通過し
【００２５】前記送風手段２ａ，２ｂは、上記のように、必ずしも吸着材の下流側に設置する必要はなく、吸着材１の上流側（風上側）や加熱手段６の上流側に設置するなど２系統の空気流を送風するものであればよい。また、吸着材１の上流側に設置された１つの送風手段（図示せず）にて生成された空気流を２系統の空気流に分岐させて吸着材１に送風する構成としてもよい。
【００２６】前記切換手段７は、回動自在に固定され、前記第１の通風路９および第２の通風路１０のいずれか一方の入口を選択して閉塞し、他方を開放するものである。」
　
ｇ．「【００２７】上記構成の除・加湿装置において、送風手段２ａ，２ｂが作動すると室内空気が吸入される。前記送風手段２ａにより生成された第１の空気流４が吸着材１の一部分を通過するとき、空気中の水分は吸着材１に吸着され、該第１の空気流４は乾燥空気となる。また、前記送風手段２ｂにより生成された第２の空気流５は加熱手段６で加熱された後、前記吸着材１の他の一部分を通過して該吸着材１を加熱する。前記吸着材１は回転しているため、吸着材１の第１の空気流４から奪い取った水分を含んだ部分は第２の空気流５で加熱され、前記水分が蒸発して吸着材１より脱離し、該第２の空気流５は加湿空気となる。
【００２８】そして、室内の除湿時には、切換手段７を７ａの位置とすることで、乾燥空気となった第１の空気流４は第２の通風路１０を介して室内に排気され、加湿空気となった第２の空気流５は第３の通風路１１を介して熱交換器８に送風され、該熱交換器８により前記第２の空気流５の温度が低下して露点以下になり、該第２の空気流５に含まれる水分が結露する。つまり、前記熱交換器８の非駆動時の温度が室内温度近傍であるのに対し、第２の空気流５の温度は室内空気を加熱手段６によって加熱されているために前記熱交換器８の温度よりも高くなっており、このため前記第２の空気流５は前記熱交換器８の通過時に冷され、該第２の空気流５に含まれる水分が結露する。
【００２９】この後、除湿された第２の空気流５は室内に導かれ、結露した水分はドレン水として排水される。
【００３０】また、加湿時には、切換手段７を７ｂの位置とすることで、乾燥空気となった第１の空気流４は第１の通風路９を介して室外に排気され、加湿空気となった第２の空気流５は第３の通風路１１を介して熱交換器８に送風され、この後室内に導かれる。
【００３１】そして、乾燥空気となった第１の空気流４が室外に排気されると、排気された該第１の空気流４の風量と同量の室外空気が部屋の隙間等から吸気され、該吸気された室外空気と排気された第１の空気流４との水分の差分だけ室内の湿度が上昇する。
【００３２】なお、加湿時においても、除湿時同様、第２の空気流５は熱交換器８の通過時に除湿されることとなるが、除湿される水分の量は室外より導かれる室外空気に含まれる水分の量よりも少ないので、室内の湿度が結果的に上昇する。
【００３３】また、本実施の形態において、前記熱交換器８を蒸発器とする冷凍サイクルを設ける、例えば
上記構成よりなる除・加湿装置を空気調和機内に組み込み
該空気調和機の冷凍サイクルの蒸発器を前記熱交換器８にて構成し
【００３４】また、冷凍サイクルによる除湿と併用することで、加熱手段６にて加熱された分だけ第２の空気流５を冷すことができ、室内温度の変動を少なくできるとともに、より多くの除湿を行うことが可能である。」
　
ｈ．「【００３５】図３は本発明の第２実施の形態にかかる除・加湿装置の構成図である。本実施の形態について、上述した第１実施の形態と相違する点のみ説明する。
【００３６】本実施の形態にかかる除・加湿装置は、送風手段２ａ，２ｂが送風出力制御手段１２に接続されてなる構成からなる。つまり、前記送風手段２ａ，２ｂの出力を前記送風出力制御手段１２で制御することが可能である。
【００３７】これにより、第１の空気流４および第２の空気流５の風量は、送風手段２ａ，２ｂの出力で増減が可能であり、加湿，除湿，
換気に最適な
　
ｉ．「【００４０】図４は本発明の第３実施の形態にかかる除・加湿装置の構成図である。本実施の形態について、上述した第１実施の形態と相違する点のみ説明する。
【００４１】本実施の形態にかかる除・加湿装置は、送風手段２ａ，２ｂ、切換手段７、加熱手段６、駆動モータ３、湿度検知手段１４が運転制御手段１３に接続されてなる構成からなる。
【００４２】そして、前記
湿度検知手段１４で室内の湿度を検知して
【００４３】また、低湿の場合には、加湿する必要があると判定し、前記切換手段７を７ｂの位置とし、前記送風手段２ａ，２ｂ、加熱手段６、駆動モータ３を稼動して加湿を行う。」
　
ｊ．「【００４４】
【発明の効果】以上説明したように、本発明の請求項１記載の除・加湿装置によれば、切換手段で乾燥空気である第１の空気流を室内に案内して排気し、加湿空気である第２の空気流を熱交換器で結露させ室内に導くことで、室内温度を低下させずに室内の除湿を行うことができる。また、切換手段で乾燥空気である第１の空気流を室外に案内して排気し、加湿空気である第２の空気流を室内に導くことで、室内の加湿を行うことができる。
【００４５】また、本発明の請求項２記載の除・加湿装置によれば、除湿時に熱交換器を冷却することで、加湿空気である第２の空気流の結露水分量を多くとることが可能となる。
【００４６】さらに、本発明の請求項３記載の除・加湿装置によれば、送風手段の出力を制御できるので、送風量を空気流の通風経路の変化による風量の増減や送風騒音の室内への伝達を考慮した最適な風量にすることが可能である。
【００４７】加えて、本発明の請求項４記載の除・加湿装置によれば、湿度検知手段で室内の湿度を検知することで、室内の湿度にあわせた調湿を行うことが可能である。」
　
　したがって、刊行物１には、
「空気調和機の冷凍サイクルが蒸発器を有し、この空気調和機に、吸湿性，通気性をもつ円筒状の吸着材１と、この吸着材１を通過する空気流５を前もって加熱し、吸着材１に吸着した水分を脱離させる加熱手段（ヒータ）６と、作動により室内空気が取り入れられ、加熱手段（ヒータ）６に送風される送風手段２ｂとからなる除・加湿装置を組み込み、すくなくとも除湿、加湿及び換気を行う空気調和機であり、
　室内の湿度を検知する湿度検知手段１４によって検知された湿度が設定湿度より高湿度のときには吸着材１等からなる上記除・加湿装置による除湿を行う空気調和機。」
という発明が記載されている。
　
　
　
（２）刊行物２に記載された発明
　刊行物２には次のａ．〜ｄ．の記載がなされている。
ａ．「【０００１】
【産業上の利用分野】本発明は空気中の水分を吸着する通風孔を有した吸湿材と、該吸湿材に空気を送風する送風機と、上記吸湿材を加熱して再生する再生用ヒータと、室内空気を吸気する室内空気吸気口と、室内に加湿後または除湿後の空気を送風する送風口と、室外空気を吸気する室外空気吸気口と、室外空気を排気する室外空気排気口とから除加湿装置を構成した除加湿機能付き空気調和機に関するものである。」
　
ｂ．「【０００２】
【従来の技術】従来の除湿機能付き空気調和機として特開平５−１６８８４１号公報に示すようなものがある。以下、この除湿機能付き空気調和機の構成を図７とともに説明する。
【０００３】この除湿機能付き空気調和機は、室内側熱交換器６１及び室内側送風機６２を備えた室内機６３と、室外側熱交換器６４と室外側送風機６５とを備えた室外機６６とから構成されていた。
【０００４】上記室外機６６内に、空気中の水分を吸着する通風孔を有した吸湿材６７と、該吸湿材６７を再生する再生用ヒータ６８と、上記吸湿材６７に送風を行う送風機６９とを内部に備えた円筒状の除加湿装置本体７０を設けていた。
　　　　　　　　　　・・・・・
【０００９】
【発明が解決しようとする課題】上記構成の除加湿機能付き空気調和機であれば、除加湿装置を室外機に設けているため、室内空気吸気パイプ及び室内空気吐出パイプを通して室内空気の吸気及び吐出を行う必要があり、長い経路のパイプを室内空気が流通するので、冬季の暖房運転時に加湿を行う際に、吸湿材に吸着されている水分を蒸発させるためには通常１００℃〜１４０℃前後に空気を加熱する必要があるが、室内空気が室外機に到達するまでの間に室外空気により冷やされてしまうので、・・・再生用ヒータの消費電力量が多くなるという問題があり、また、両パイプの途中で空気漏れがあれば除加湿性能が低下するという問題があった。
　　　　　　　　　　・・・・・
【００１４】
本発明の除加湿機能付き空気調和機は
吸湿材と送風機と再生用ヒータからなる除加湿装置を室内機に設ける
　
ｃ．「【００２９】
【実施例】本発明の除加湿機能付き空気調和機の第１実施例を図１乃至図４とともに説明する。
【００３０】
本発明の除加湿機能付き空気調和機は
室内側熱交換器１及び室内側送風機２を備えた室内機３
室外側熱交換器（図示せず）と室外側送風機（図示せず）とを備えた室外機
とから構成されている
【００３１】
上記室内機３内に、空気中の水分を吸着する通風孔を有した吸湿材４と、該吸湿材４を再生する再生用ヒータ５と、上記吸湿材４に送風を行う再生用送風機６，処理用送風機７と
【００３２】上記除加湿装置本体８はその内部を軸方向に吸湿材４の再生を行う再生室９と空気の処理を行う処理室１０とに区画しており、該再生室９に上記再生用ヒータ５を配設するとともに上記再生用送風機６を配設し、上記処理室１０に処理用送風機７を配設している。上記除加湿装置本体８内で上記再生室９と上記処理室１０に跨がって通風孔を有し円柱状に形成された上記吸湿材４を当該除加湿装置本体８の同軸で回転自在に配設され、該吸湿材４を回転駆動する吸湿材駆動モータ１１を設け、該吸湿材駆動モータ１１の回転力を上記吸湿材４に伝達するベルト１２を当該吸湿材４と吸湿材駆動モータ１１との間に架設している。
【００３３】上記除加湿装置本体８の一端に吸気切換ダンパー１３を設けるとともに他端に吐出切換ダンパー１４を設け、該吸気切換ダンパー１３に第１室外側接続パイプ１５と第１室内側接続パイプ１６とを接続し、上記吐出切換ダンパー１４に第２室外側接続パイプ１７と第２室内側接続パイプ１８とを接続している。
【００３４】上記第１室外側接続パイプ１５と第２室外側接続パイプ１７との端部に室外空気切換ダンパー１９を接続し、該室外空気切換ダンパー１９に端部に室外空気吸気口２０を有した室外空気吸気パイプ２１を接続するとともに端部に室外空気排気口２２を有した室外空気排気パイプ２３を接続している。上記室外空気吸気パイプ２１及び室外空気排気パイプ２３は、上記室内機３を設置する壁２４に設けられた貫通孔２５を貫通して配設した配管ダクト２６内に配設されており、該配管ダクト２６の端部（壁２４の室外側）に設けられた配管ケース２７内に上記室外空気吸気パイプ２１の室外空気吸気口２０及び上記室外空気排気パイプ２３の室外空気排気口２２が位置するように当該室外空気吸気パイプ２１及び室外空気排気パイプ２３を配設し、室外空気のショートサーキットを防止するため上記配管ケース２７内を区画壁２８で該室外空気吸気パイプ２１と室外空気排気パイプ２３とを区画している。
【００３５】上記第１室内側接続パイプ１６と第２室内側接続パイプ１８との端部に室内空気切換ダンパー２９を接続し、該室内空気切換ダンパー２９に端部に室内空気吸気口３０を有した室内空気吸気パイプ３１を接続するとともに室内空気吐出パイプ３２を接続し、該室内空気吐出パイプ３２の端部に送風切換ダンパー３３を接続し、該送風切換ダンパー３３に端部に上側送風口３４を有した上側送風パイプ３５を接続するとともに端部に下側送風口３６を有した下側送風パイプ３７を接続している。
【００３６】上記上側送風パイプ３５は上記室内機３の前面下部に設けられた送風口３８の上側に上記上側送風口３４が位置するように配設され、上記下側送風パイプ３７は上記送風口３８の下側に上記下側送風口３６が位置するように配設され、上記上側送風パイプ３５と上記下側送風パイプ３７との間に上記室内用送風機２が配設されている。
【００３７】上記室内機３の上面及び上部に吸気口３９が複数個設けられている。そして、上記配管ダクト２６及び配管ケース２７に上記室内機３から上記室外機への信号線や電源線を配設した接続配管とドレン水排水ホースを束ねた配管束４０を配設している。
【００３８】上記室外空気吸気パイプ２１を断熱性の高い材質若しくはパイプに断熱材を巻き付けて形成し、該室外空気吸気パイプ２１の室内側に吸気される室外空気に含まれている埃を取り除く除塵フィルター４１を設けている。また、上記除加湿装置本体８、各切換ダンパー１３，１４，１９，２９，３３、各パイプ１５，１６，１７，１８，２１，２３，３１，３２，３５，３７で除加湿装置Ａを構成し、該除加湿装置Ａを図４に示すように上記室内機３の図示右側（若しくは左側）に設けている。そして、上記除加湿装置を上記室内機３に設ける際に上記室外空気吸気パイプ２１及び室外空気排気パイプ２３が直線状に配管されるように上記壁２４の貫通孔２５に対峙する位置に配設している。」
　
ｄ．「【００３９】上記構成の除加湿機能付き空気調和機の動作を説明する。加湿時には、処理用送風機７の働きにより室外空気が室外空気吸気パイプ２１を通り、該室外空気吸気パイプ２１の除塵フィルター４１で埃を取り除かれ、除塵後の室外空気が室外空気切換ダンパー１９，第１室外側接続パイプ１５，吸気切換ダンパー１３を通り除加湿装置本体８の処理室１０に吸気され、この吸気された室外空気が吸湿材４を通過する際に当該室外空気に含まれている水分が該吸湿材４で吸着され乾燥空気となり、この乾燥空気は吐出切換ダンパー１４，第２室外側接続パイプ１７，上記室外空気切換ダンパー１９，室外空気排気パイプ２３を通り室外に排気される。
　　　　　　　　　　・・・・・
【００４２】・・・上記加湿動作を
冬季の暖房時
【００４３】次に、除湿時には、上記再生用送風機６の働きにより室内空気が室内空気吸気パイプ３１，室内空気切換ダンパー２９，第１室内側接続パイプ１６，吸気切換ダンパー１３を通り上記除加湿装置本体８の処理室１０に吸気され、この吸気された室内空気は吸湿材４を通過する際に含有されている水分が該吸湿材４で吸着され乾燥空気となり、この乾燥空気が上記吐出切換ダンパー１４，上記第２室内側接続パイプ１８，上記室内空気切換ダンパー２９，上記室内空気吐出パイプ３２，上記送風切換ダンパー３３，上記下側送風パイプ３７を通して上記室内機３の送風口３８の下側から室内に送風され室内の除湿を行う。
【００４４】この時、上記
吸湿材４はベルト１２を介して吸湿材駆動モータ１１によって回転駆動されている
【００４５】上記と同時に再生用送風機６の働きにより上記室外空気吸気パイプ２１，上記室外空気切換ダンパー１９，上記第２室外空気接続パイプ１７，上記吐出切換ダンパー１４を通り上記除加湿装置本体８の再生室９へ吸気され、この吸気された室外空気を再生用ヒータ５で１００℃〜１４０℃の温度に加熱し、この加熱された高温空気が上記吸湿材４を通過するときに当該吸湿材４の吸着されている水分を蒸発させて上記吸湿材４を再生し、この水分を含有した湿潤空気を上記吸気切換ダンパー１３，上記第１室外側接続パイプ１５，上記室外空気排気パイプ２３から室外へ排気している。上記両動作を連続して行うことにより室内の除湿を行う。
【００４６】上記除湿動作を
夏季の冷房時
　
　したがって、刊行物２には、
「室内側熱交換器１及び室内側送風機２を備えた室内機３と、室外側熱交換器と室外側送風機とを備えた室外機とから構成されており、上記室内機３内に吸湿材４、再生用ヒータ５、再生用送風機６を設けている除加湿機能付き空気調和機。」
という発明が記載されている。
　
　
　
（３）刊行物３に記載された発明
　刊行物３には次のａ．〜ｅ．の記載がなされている。
ａ．「【０００１】
【産業上の利用分野】本発明は、換気による湿分の侵入を抑え、室内空気の湿度を制御できる換気装置の制御装置に関する。」
　
ｂ．「【０００７】
【発明が解決しようとする課題】このような
従来の換気装置の湿度制御装置では、湿度調整を主として行う制御であったため、
換気量については考慮されておらず、
居住者が換気不足を感じて手動で換気量を調節するなどの問題があり、とくに気密度の高い住宅などにおいて必ずしも適切な制御ではなかった。
【０００８】
本発明は上記の課題を解決するもので、除湿優先、換気優先の判定を適切に自動的に行って設定湿度を素早く達成できるとともに、必要換気量を確保し、常時快適な空間を維持できる換気装置の湿度制御装置を提供することを目的とする。
　
ｃ．「【００１０】
【課題を解決するための手段】請求項１に係わる本発明は、給気経路と、前記給気経路上の給気ダンパと、換気経路と、前記換気経路上の換気ダンパと、前記給気経路と前記換気経路とをバイパスする換気バイパス経路と、前記バイパス経路上の換気バイパスダンパより換気および循環経路を形成し、給気の流路上に除湿ユニットを備えた換気装置において、室外温湿度検知手段と、室内温湿度検知手段と、使用者が室内の温湿度を設定する温湿度入力手段と、換気風量および換気運転時間などを記憶する換気装置運転状況記憶手段と、室外温湿度から算出される室外空気のエンタルピと
室内温湿度から算出されるエンタルピ
に基づいて、前記換気装置の運転を除湿優先モードとする換気優先モードとするか判断する
【００１１】
【作用】請求項１に係わる本発明において、換気装置運転状況記憶手段は現時点の運転状況をつねに把握しており、室外温湿度検知手段と
室内温湿度検知手段とが
除湿優先か換気優先かを自動的に判断して制御する
　
ｄ．「【００１２】
【実施例】
（実施例１）以下、請求項１に係わる本発明の換気装置の制御装置の第１の実施例について図面を参照しながら説明する。図１は本実施例の構成を示すブロック図である。なお、図６に示した従来例と同じ構成要素には同一番号を付与して詳細な説明を省略する。本実施例が従来例と異なる点は、換気風量や換気時間などを記憶する換気装置運転状況記憶手段２４を備え、室内外の空気のエンタルピと室内で要求されるエンタルピ、換気風量および換気時間を認知し、また、優先度判定手段３１を備え、換気優先モードとするか、または除湿優先モードとするか、または優先モードを設定しないかを判定し、これらの優先度により換気風量決定手段３２と除湿ユニット出力決定手段を制御することにある。なお、
室内温湿度検知手段２２
は乾球温度と湿球温度、または乾球温度と相対湿度センサなどで構成される。
【００１３】図２は本実施例における制御装置の構成を示すブロック図である。図において、優先度判定手段３１は、室外温湿度検知手段２１、
室内温湿度検知手段２２
からの情報をもとに、換気優先モードとするか、または、除湿優先モードとするか、または優先モードを設定しないかを判定する。
　
ｅ．「【００２５】（実施例２）以下、請求項１に係わる本発明の換気装置の制御装置の第２の実施例について図面を参照しながら説明する。図４は本実施例の制御装置の構成を示すブロック図である。なお、実施例１と同じ構成要素には同一番号を付与して詳細な説明を省略する。また、実施例１と同様に、室外温湿度検知手段２１、室内温湿度検知手段２２、設定温湿度入力手段２３および換気装置運転状況記憶手段２４のそれぞれの出力に基づいて、優先度判定手段３１により優先度を判定する。本実施例は換気風量決定手段３２と除湿ユニット出力決定手段３３の動作に係わるものである。
【００２６】優先度判定手段３１により
換気優先と判定された場合
換気回路が排気回路になるように設定する
また、除湿ユニット出力決定手段３３は、外気導入による室内エンタルピＩiが上昇する場合、設定エンタルピＩsを越えないように出力を調整する
【００２７】優先度判定手段３１により
除湿優先と判定された場合
換気回路が再循環回路になるように設定する
【００２８】この運転中に優先度判定手段３１により除湿優先モードの解除と判定された場合、すなわち、室内エンタルピＩiが設定エンタルピＩsを満たした場合は外気を導入しながら除湿を行う。このときの制御は従来の制御を用いて、室内外のエンタルピ差、設定エンタルピＩsを考慮して、換気風量決定手段３２は換気の再循環量を、除湿ユニット出力決定手段３３は除湿ユニットの出力をそれぞれ調整する。
【００２９】また、除湿優先モード中に換気優先モードの割り込みが発生した場合には、前記換気優先モードの説明と同じであるが、除湿ユニット出力決定手段３３は、換気優先モードであっても除湿の必要性は変わらないため、出力を最大のまま維持させる。また、除湿優先モード中に発生した換気優先モードの割り込みが終了した場合で、除湿優先条件が改善されていない場合はふたたび換気優先モードとなる。
【００３０】以上のように、除湿優先モード、換気優先モードに対応して動作する換気風量決定手段３２と、除湿ユニット出力決定手段３３とを設けることにより、優先度判定手段３１の判断が有効に活用され、室内循環を快適に維持できる。
【００３１】なお、
本発明の制御装置を用いた換気装置は
空調機負荷の低減、省エネルギー効果を期待できるものである
　
　したがって、刊行物３には、
「室内温湿度検知手段が検知した室内温湿度などから除湿優先モードか換気優先モードかを自動的に判断して運転し、空調機負荷の低減を期待できる換気装置の制御装置。」
という発明が記載されている。
　
　
　
（４）刊行物４に記載された発明
　刊行物４には次のａ．〜ｅ．の記載がなされている。
ａ．「【０００１】
【産業上の利用分野】本発明は空気調和機の自動除湿運転制御装置に関するものである。」
　
ｂ．「【０００４】
【発明が解決しようとする課題】このような
従来の空気調和機の自動除湿運転制御装置では
空気調和機を停止させて外出し帰宅した時、室内の湿度が高いときは不快感を感じる。
【０００５】本発明は上記従来の課題を解決するもので、日中、夜間など前記空気調和機が停止しているとき、前記
リモコンの湿度センサーで室内の湿度判定を行い、自動的に前記空気調和機に除湿運転指令を送信する自動除湿運転制御装置を提供することを目的とする
　
ｃ．「【０００８】
【実施例】以下本発明の一実施例について図１および図２R２を参照しながら説明する。なお、従来例に付した符号と同一符号は同一物を示し、その説明は省略する。すなわち、リモコン１０３は、前記リモコン１０３内のリモコン制御部３と、前記リモコン１０３部分の湿度を検知する湿度センサー１と、自動除湿運転を許可する自動除湿運転許可スイッチ２とを備えている。すなわち、空気調和機を停止して、
外出
に入った場合
自動除湿運転許可スイッチ２をＯＮし、自動運転開始湿度を設定しておけば、その後湿度が上がったなら自動的に前記リモコン１０３から空気調和機に除湿運転指令が送られ、自動除湿運転を行う構成になっている
　
ｄ．「【０００９】上記構成において、前記リモコン制御部３は前記自動除湿運転許可スイッチ２がＯＮの場合、前記
湿度センサー１で湿度を検出し
自動除湿運転開始設定湿度以上ならば前記湿度を検出した時点で
除湿運転指令を送信する
【００１０】次に図２に示すチャート図において、リモコン１０３の湿度センサー１から検出する湿度をリモコン制御部３が送信する手順を示す。
【００１１】まず自動運転制御の始まりであるスタート１０よりはじまり、前記リモコン１０３の自動除湿運転許可スイッチ２がＯＮしているかどうか確認する。前記自動除湿運転許可スイッチ２がＯＮならば室内湿度検出１２に進み、前記湿度センサー１で前記リモコン１０３部分の湿度を検出する。その後、設定した自動除湿運転開始湿度以上１３ならば、次に進み、自動除湿運転指令送信１４を送信する。そこで逆に１３が自動運転開始湿度未満ならばＮＯとなって、通常設定湿度と湿度を比較し、設定湿度以下１５ならば停止指令１６を送信する。
【００１２】このようにリモコン１０３の湿度センサー１と、自動除湿運転許可スイッチ２により、
外出時や
　
ｅ．「【００１３】
【発明の効果】以上の実施例から明らかなように、本発明によれば、リモコンに湿度センサーと、自動除湿運転許可スイッチを設けることにより、
外出時や
　
　したがって、刊行物４には、
「外出時または睡眠に入った場合、自動除湿運転許可スイッチ２をＯＮし、湿度センサー１で検出した湿度と設定湿度との比較により自動除湿運転を行う、空気調和機の自動除湿運転制御装置。」
という発明が記載されている。
　
　
　
５．対比・判断
（１）対比
　本件の請求項１に係る発明（以下、「本件発明１」という。）と、刊行物１に記載された発明とを対比する。
　刊行物１に記載された発明における「吸湿性，通気性をもつ円筒状の吸着材１」は、駆動モータ３の回転に伴って回転し、この吸着材１は、ハニカム形状，格子状，スポンジ状，網状など通気可能なもので構成される。（刊行物１上記引用箇所４．（１）ｆ．段落【００２１】参照。）
　このような吸湿性を有する吸着材１が“（吸湿）ロータ”と呼ばれるものであることは、周知の事項にすぎない。（もし、必要であれば、
・特開平６−１８５７９３号公報
　　特に、「吸湿ロータ７」、及び図５，６、
・特開平９−４２７０９号公報
　　特に、「吸放湿ロータ４」、及び図１（ｂ）、
等を参照。）
　
　そうすると、刊行物１に記載された発明の
・吸湿性，通気性をもつ円筒状の吸着材１、
・加熱手段（ヒータ）６、
・送風手段２ｂ、
・湿度検知手段１４、
は、
本件発明１における
・吸湿ロータ、
・再生ヒータ、
・再生ファン、
・湿度センサー、
にそれぞれ相当すると認められる。
　
イ．一致点
　そこで、両発明は
「室内空気の水分を吸着・離脱する吸湿ロータと、吸湿ロータを再生する再生ヒータと、再生ヒータに空気を送る再生ファンとからなる空気調和機において、
湿度センサーによって検出された湿度が予め設定した湿度以上のときには、前記吸湿ロータによる除湿運転を行うことを特徴とする空気調和機。」
で一致し、次のＡ及びＢの２点で相違する。
　
ロ．相違点
・相違点Ａ
　本件発明１では、空気調和機が「少なくとも圧縮機、室外熱交換器、膨張弁及び室外ファンを内蔵する室外ユニットと、少なくとも室内熱交換器及び室内ファンを有する室内ユニットに、」吸湿ロータ、再生ヒータ及び再生ファンとからなっている。また同発明では、「前記室内ユニットの吸い込み口に設けた湿度センサー」において湿度を検出している。
　これに対して、刊行物１に記載された発明では、室外、室内ユニットがなく、吸着材１、加熱手段６及び送風手段２ｂも当然ながら室内ユニットに設置されていない。また同発明では、室内ユニットの吸い込み口に湿度検知手段１４を設けていない。
　
・相違点Ｂ
　本件発明１では、「湿度センサーにおいて検出された湿度によって外出時に除湿運転・換気運転を自動的に選択する運転モードと、前記運転モードを選択するスイッチとを設け、前記スイッチが第１と第２のスイッチからなり、」としている。また「湿度が予め設定した湿度以上のときには、前記第１のスイッチを選択することにより前記吸湿ロータによる除湿運転を行い、前記第２のスイッチを選択することにより前記圧縮機による除湿運転を行う」ようにしている。
　これに対し、刊行物１に記載された発明では、外出時に除湿運転と換気運転を自動的に選択する運転モードを設けていない。また、同モードを選択するスイッチを設けていない。
　
　
（２）判断
イ．相違点Ａについての検討
　刊行物２には、「室内側熱交換器１及び室内側送風機２を備えた室内機３と、室外側熱交換器と室外側送風機とを備えた室外機とから構成されており、上記室内機３内に吸湿材４、再生用ヒータ５、再生用送風機６を設けている除加湿機能付き空気調和機。」という発明が記載されている。
　同刊行物には、室外機に圧縮機及び膨張弁を備えるとの記載はないが、室外機（室外ユニット）にこれらのものを備えることは、例をあげるまでもなく周知の技術にすぎない。
　また、同刊行物には、室内機３の吸気口３９に湿度センサーを設けるとは記載されていない。しかし、刊行物１に記載された発明の空気調和機に、刊行物２に記載された発明を組み合わせるにあたり、刊行物１に記載されている「室内の湿度を検知する湿度検知手段１４」を、刊行物２に記載されている「室内機３の吸気口３９」に設けることは当業者であれば容易に行える程度の事項である。
　したがって、刊行物１に記載された発明に、刊行物２に記載された発明を組み合わせ、相違点Ａにおける本件発明１の構成に到達することは当業者であれば容易である。
　
ロ．相違点Ｂについての検討
　まず、本件発明１では、湿度センサーにおいて検出された湿度によって外出時に除湿運転・換気運転を自動的に選択する。これに対し、刊行物３には、「室内温湿度検知手段が検知した室内温湿度などから
除湿優先モードか換気優先モードか
外出時
自動除湿運転許可スイッチ２をＯＮし
　次に、本件発明１では、（外出時の）運転モードを選択するスイッチが第１と第２のスイッチからなり、これらの第１，第２のスイッチを選択することにより吸湿ロータによる除湿運転と圧縮機による除湿運転を行うようにしている。
　ところで、刊行物１に記載された発明の課題の内の１つは、同刊行物段落【０００８】ないし【００１０】の記載から明らかなように、「冷凍サイクルを稼動して除湿を行う空気調和機では室内温度が下がるという問題があるので、本発明は、室内温度が低下することなく除湿を行うことが可能な除・加湿装置を提供することを目的とする」である。そして、同刊行物の段落【００４４】に記載のように、「室内温度を低下させずに室内の除湿を行うことができる」という発明の効果が達成される。
　してみると、室内温度が高い時は、室内温度が低下しても問題はない、あるいはその方が好ましいことは明らかであるから、そのような時は冷凍サイクルによる除湿を行い、室内温度が低い時のみ、室内温度を低下させない刊行物１記載の吸着材１等を有する除・加湿装置による除湿を行うのは、当業者であれば容易であると言うべきである。
　また、刊行物４の「自動除湿運転許可スイッチ２」を刊行物１の空気調和機に組み合わせるにあたり、このスイッチ２を、上記の冷凍サイクルによる除湿と吸着材１による除湿とを選択できるようなスイッチ（第１と第２のスイッチからなるスイッチ）とした上で組み合わせることは、当業者であれば容易である。
　しかも、刊行物１に記載された発明では、湿度検知手段１４によって検知された湿度が設定湿度より高湿度のときには吸着材１等による除湿を行うが、このような高湿度のときに上記冷凍サイクルによる除湿を行うようにすることも当業者であれば容易である。
　したがって、刊行物１に記載された発明の空気調和機に、これらの刊行物３及び４に記載された発明組み合わせ、相違点Ｂにおける本件発明１の構成に到達することは当業者であれば容易である。
　
ハ．発明の効果についての検討
　本件発明１の効果は、刊行物１ないし４に記載された発明及び上記の周知技術に基づいて当業者が容易に推測できたものである。
　
二．まとめ
　このように、本件発明１は、本願の出願前に国内において頒布された刊行物１ないし４に記載された発明及び上記の周知技術に基づいて当業者が容易に発明をすることができたものである。
　
　
　
６．むすび
　このように、本件発明１は、本願の出願前に国内において頒布された刊行物１ないし４に記載された発明及び上記の周知技術に基づいて当業者が容易に発明をすることができたものである。
　したがって、本件の請求項２に係る発明については検討するまでもなく、本件出願は拒絶すべきものである。
　よって、結論のとおり審決する。